(57)【要約】【課題】本発明は、光ディスク装置、光ディスクの記録方法、光ディスクの記録方法のプログラム及び光ディスクの記録方法のプログラムを記録した記録媒体に関し、例えばＤＶＤ（Ｄｉｇｉｔａｌ　Ｖｅｒｓａｔｉｌｅ　Ｄｉｓｋ）装置に適用して、情報記録面を有効に利用して、動画以外の静止画等のファイルについても記録することができるようにする。【解決手段】本発明は、拡張ファイルＥＦ１、ＥＦ２と拡張ファイル情報ＥＸとを組にして記録するようにし、他の組の拡張ファイル情報ＥＸをエリア管理情報により指し示すことができるようにする。【選択図】　　　　図１
2004030704.tif 000002
【特許請求の範囲】
【請求項１】
動画ファイルと、前記動画ファイルの再生に必要な動画ファイルの管理情報とを組にして光ディスクに記録する光ディスク装置において、
１又は複数の前記動画ファイル以外の拡張ファイルと、前記拡張ファイルの拡張管理情報とを組にして前記光ディスクに記録し、
前記拡張管理情報に、
少なくとも同一の組に係る前記拡張ファイルの再生に必要な拡張ファイル情報と、
それまでに記録されている他の組の前記拡張ファイル情報の記録位置を示すエリア管理情報と、
同一の組に係る前記拡張ファイル情報の記録位置を示すエリア管理情報とを割り当てる
ことを特徴とする光ディスク装置。
【請求項２】
前記拡張ファイル情報が、
少なくとも対応する前記拡張ファイルの記録開始位置のアドレス、ファイルサイズ、ファイル名の情報である
ことを特徴とする請求項１に記載の光ディスク装置。
【請求項３】
前記エリア管理情報が、
少なくともまとめて記録された前記拡張ファイル情報の記録開始位置のアドレス、ファイル数の情報である
ことを特徴とする請求項１に記載の光ディスク装置。
【請求項４】
前記拡張管理情報、前記動画ファイルの管理情報と共に、仮の管理情報を記録すると共に、前記光ディスクの固定した領域に、前記仮の管理情報の記録位置情報を記録し、
前記仮の管理情報に、それまでに前記光ディスクに記録されている前記動画ファイルの管理情報と、最新の前記拡張管理情報との記録位置を示す情報を割り当てる
ことを特徴とする請求項１に記載の光ディスク装置。
【請求項５】
前記拡張管理情報は、
前記拡張ファイルの属性毎に、前記拡張ファイル情報を管理する
ことを特徴とする請求項１に記載の光ディスク装置。
【請求項６】
前記拡張管理情報、前記動画ファイルの管理情報に基づいて、前記光ディスクに記録された前記動画ファイル、前記拡張ファイルを再生する再生手段を有する
ことを特徴とする請求項１に記載の光ディスク装置。
【請求項７】
ユーザーによる指示により、
前記光ディスクの内周側領域に、前記管理情報及び前記拡張管理情報により前記動画ファイル及び前記拡張ファイルの再生に必要な情報をまとめて記録し、
続く領域に、前記管理情報により前記動画ファイルの再生に必要な情報をまとめて記録する
ことを特徴とする請求項１に記載の光ディスク装置。
【請求項８】
前記内周側領域が、コンピュータによるファイル管理システムに対応する領域であり、
前記続く領域が、ＤＶＤビデオフォーマットのファイル管理システムに対応する領域である
ことを特徴とする請求項７に記載の光ディスク装置。
【請求項９】
動画ファイルと、前記動画ファイルの再生に必要な動画ファイルの管理情報とを組にして光ディスクに記録する光ディスクの記録方法において、
１又は複数の前記動画ファイル以外の拡張ファイルと、前記拡張ファイルの拡張管理情報とを組にして前記光ディスクに記録する拡張ファイル記録のステップを有し、
前記拡張ファイル記録のステップは、
前記拡張管理情報に、
少なくとも同一の組に係る前記拡張ファイルの再生に必要な拡張ファイル情報と、
それまでに記録されている他の組の前記拡張ファイル情報の記録位置を示すエリア管理情報と、
同一の組に係る前記拡張ファイル情報の記録位置を示すエリア管理情報とを割り当てて記録する
ことを特徴とする光ディスクの記録方法。
【請求項１０】
前記拡張管理情報、前記動画ファイルの管理情報と共に、仮の管理情報を記録すると共に、前記光ディスクの固定した領域に、前記仮の管理情報の記録位置情報を記録する仮の管理情報の記録ステップを有し、
前記仮の管理情報の記録ステップは、
前記仮の管理情報に、それまでに前記光ディスクに記録されている前記動画ファイルの管理情報と、最新の前記拡張管理情報との記録位置を示す情報を割り当てる
ことを特徴とする請求項９に記載の光ディスクの記録方法。
【請求項１１】
前記拡張管理情報、前記動画ファイルの管理情報に基づいて、前記光ディスクに記録された前記動画ファイル、前記拡張ファイルを再生する再生のステップを有する
ことを特徴とする請求項９に記載の光ディスクの記録方法。
【請求項１２】
ユーザーによる指示に応じて、
前記光ディスクの内周側領域に、前記管理情報及び前記拡張管理情報により前記動画ファイル及び前記拡張ファイルの再生に必要な情報をまとめて記録し、
続く領域に、前記管理情報により前記動画ファイルの再生に必要な情報をまとめて記録するファイナライズのステップを有する
ことを特徴とする請求項９に記載の光ディスクの記録方法。
【請求項１３】
動画ファイルと、前記動画ファイルの再生に必要な動画ファイルの管理情報とを組にして光ディスクに記録する光ディスクの記録方法のプログラムにおいて、
１又は複数の前記動画ファイル以外の拡張ファイルと、前記拡張ファイルの拡張管理情報とを組にして前記光ディスクに記録する拡張ファイル記録のステップを有し、
前記拡張ファイル記録のステップは、
前記拡張管理情報に、
少なくとも同一の組に係る前記拡張ファイルの再生に必要な拡張ファイル情報と、
それまでに記録されている他の組の前記拡張ファイル情報の記録位置を示すエリア管理情報と、
同一の組に係る前記拡張ファイル情報の記録位置を示すエリア管理情報とを割り当てて記録する
ことを特徴とする光ディスクの記録方法のプログラム。
【請求項１４】
前記拡張管理情報、前記動画ファイルの管理情報と共に、仮の管理情報を記録すると共に、前記光ディスクの固定した領域に、前記仮の管理情報の記録位置情報を記録する仮の管理情報の記録ステップを有し、
前記仮の管理情報の記録ステップは、
前記仮の管理情報に、それまでに前記光ディスクに記録されている前記動画ファイルの管理情報と、最新の前記拡張管理情報との記録位置を示す情報を割り当てる
ことを特徴とする請求項１３に記載の光ディスクの記録方法のプログラム。
【請求項１５】
ユーザーによる指示に応じて、
前記光ディスクの内周側領域に、前記管理情報及び前記拡張管理情報により前記動画ファイル及び前記拡張ファイルの再生に必要な情報をまとめて記録し、
続く領域に、前記管理情報により前記動画ファイルの再生に必要な情報をまとめて記録するファイナライズのステップを有する
ことを特徴とする請求項１３に記載の光ディスクの記録方法のプログラム。
【請求項１６】
動画ファイルと、前記動画ファイルの再生に必要な動画ファイルの管理情報とを組にして光ディスクに記録する光ディスクの記録方法のプログラムを記録した記録媒体において、
前記光ディスクの記録方法のプログラムは、
１又は複数の前記動画ファイル以外の拡張ファイルと、前記拡張ファイルの拡張管理情報とを組にして前記光ディスクに記録する拡張ファイル記録のステップを有し、
前記拡張ファイル記録のステップは、
前記拡張管理情報に、
少なくとも同一の組に係る前記拡張ファイルの再生に必要な拡張ファイル情報と、
それまでに記録されている他の組の前記拡張ファイル情報の記録位置を示すエリア管理情報と、
同一の組に係る前記拡張ファイル情報の記録位置を示すエリア管理情報とを割り当てて記録する
ことを特徴とする光ディスクの記録方法のプログラムを記録した記録媒体。
【請求項１７】
前記拡張管理情報、前記動画ファイルの管理情報と共に、仮の管理情報を記録すると共に、前記光ディスクの固定した領域に、前記仮の管理情報の記録位置情報を記録する仮の管理情報の記録ステップを有し、
前記仮の管理情報の記録ステップは、
前記仮の管理情報に、それまでに前記光ディスクに記録されている前記動画ファイルの管理情報と、最新の前記拡張管理情報との記録位置を示す情報を割り当てる
ことを特徴とする請求項１６に記載の光ディスクの記録方法のプログラムを記録した記録媒体。
【請求項１８】
ユーザーによる指示に応じて、
前記光ディスクの内周側領域に、前記管理情報及び前記拡張管理情報により前記動画ファイル及び前記拡張ファイルの再生に必要な情報をまとめて記録し、
続く領域に、前記管理情報により前記動画ファイルの再生に必要な情報をまとめて記録するファイナライズのステップを有する
ことを特徴とする請求項１６に記載の光ディスクの記録方法のプログラムを記録した記録媒体。
【発明の詳細な説明】
【０００１】
【発明の属する技術分野】
本発明は、光ディスク装置、光ディスクの記録方法、光ディスクの記録方法のプログラム及び光ディスクの記録方法のプログラムを記録した記録媒体に関し、例えばＤＶＤ（Ｄｉｇｉｔａｌ　Ｖｅｒｓａｔｉｌｅ　Ｄｉｓｋ）装置に適用することができる。本発明は、拡張ファイルと拡張ファイル情報とを組にして記録するようにし、他の組の拡張ファイル情報をエリア管理情報により指し示すことができるようにすることにより、情報記録面を有効に利用して、動画以外の静止画等のファイルについても記録することができるようにする。
【０００２】
【従来の技術】
従来、大容量の光ディスクであるＤＶＤにおいて、書き込み可能な光ディスクは、１回のみ書き込み可能なＤＶＤ−Ｒ（ＤＶＤ−Ｒｅｃｏｒｄａｂｌｅ）、追記可能なＤＶＤ−ＲＷ（ＤＶＤ−Ｒｅｗｒｉｔａｎｌｅ）、ＤＶＤ−ＲＡＭ（ＤＶＤ−Ｒａｎｄｏｍ　Ａｃｃｅｓｓ　Ｍｅｍｏｒｙ）が提供されるようになされている。これらの光ディスクのうち、ＤＶＤ−Ｒ、ＤＶＤ−ＲＷは、ＤＶＤ−ビデオフォーマットに準拠したフォーマットでビデオデータを記録することにより、再生専用の光ディスク、コンピュータでも再生できるようになされている。
【０００３】
図１１は、このＤＶＤビデオフォーマットによる光ディスクの論理フォーマットを示す図表である。このフォーマットによる光ディスクは、情報記録面が、先頭側である最内側よりリードイン（Ｌｅａｄ　ｉｎ　）、データゾーン（Ｄａｔａ　Ｚｏｎｅ　）、リードアウト（Ｌｅａｄ　ｏｕｔ）に区切られ（図１１（Ａ））、データゾーンに所望のビデオデータ等が記録される。
【０００４】
ここでデータゾーンは、リードイン側より、ＵＤＦ（Ｕｎｉｖｅｒｓａｌ　Ｄｉｓｋ　Ｆｏｒｍａｔ　）領域（ファイルシステムエリア）Ａ１、ＶＭＧ（Ｖｉｄｅｏ　Ｍａｎａｇｅｒ　）領域（ＤＶＤ管理情報エリア）Ａ２、リアルタイムデータ記録エリアＡ３に区分される。ＵＤＦ領域及びＶＭＧ領域は、この光ディスクに記録されたビデオデータによるファイルを管理する管理情報記録領域である。これらのＵＤＦ領域及びＶＭＧ領域のうち、第２の管理情報記録領域であるＶＭＧ領域は、ＤＶＤビデオフォーマットに固有のファイル管理システムに対応する領域であり、リアルタイムデータ記録エリアＡ３に記録されたビデオデータ全体を管理する管理情報であるＴＯＣの情報が記録される。これに対して第１の管理情報記録領域であるＵＤＦ領域Ａ１は、コンピュータによるファイル管理システムに対応する領域であり、コンピュータにおけるファイルシステムとの互換を図るフォーマットによりリアルタイムデータ記録エリアＡ３に記録されたビデオデータ全体を管理する管理情報が記録される。
【０００５】
リアルタイムデータ記録エリアＡ３は、実データを記録するプログラムエリアであり、ＶＴＳ（Ｖｉｄｅｏ　Ｔｉｔｌｅ　Ｓｅｔ　）（以下、適宜、タイトルと呼ぶ）を単位にして、ビデオデータが記録される（図１１（Ｂ））。なおここでＶＴＳは、最大で９９個まで設けることができるようになされている。ここでＶＴＳは、先頭側より、ＶＴＳＩ（Ｖｉｄｅｏ　Ｔｉｔｌｅ　Ｓｅｔ　Ｉｎｆｏｒｍａｔｉｏｎ　）、ＶＴＳＭ　ＶＯＢＳ（Ｖｉｄｅｏ　Ｏｂｊｅｃｔ　Ｓｅｔ　ｆｏｒ　ｔｈｅ　ＶＴＳＭ　）、ＶＴＳＴＴ　ＶＯＢＳ（Ｖｉｄｅｏ　Ｏｂｊｅｃｔ　ＳｅｔＦｏｒ　Ｔｉｔｌｅｓ　ｉｎ　ａ　ＶＴＳ）、ＶＴＳＩ　ＢＵＰ（Ｂａｃｋｕｐ　ｏｆ　ＶＴＳＩ）により構成される（図１１（Ｃ））。ＶＴＳＴＴ　ＶＯＢＳには、実データであるＭＰＥＧ（Ｍｏｖｉｎｇ　Ｐｉｃｔｕｒｅ　Ｅｘｐｅｒｔｓ　Ｇｒｏｕｐ）２のフォーマットによるビデオデータが記録され、ＶＴＳＩには、この実データによるビデオデータを管理する管理情報である記録位置情報等が、ＶＴＳＭ　ＶＯＢＳには、ビデオデータのタイトルメニューが記録される。なおＶＴＳＭ　ＶＯＢＳは、オプションである。ＶＴＳＩ　ＢＵＰは、ＶＴＳＩのバックアップである。
【０００６】
これらによりこの種の光ディスクにおいては、コンピュータによりアクセスする場合、ＵＤＦにより所望するファイルを検索して再生することができるようになされ、ＤＶＤプレイヤーにより再生する場合には、ＶＭＧにより所望するファイルを検索して再生することができるようになされている。
【０００７】
このような光ディスクにビデオデータを書き込む方式としては、Ｉｎｃｒｅｍｅｎｔａｌ　Ｒｅｃｏｒｄｉｎｇ　方式（以下、ＩＮＣ方式と呼ぶ）、Ｒｅｓｔｒｉｃｔｅｄ　Ｏｖｅｒ　Ｗｒｉｔｅ　方式（以下、ＲＯＷ方式と呼ぶ）が使用されるようになされている。ここでＩＮＣ方式は、シーケンシャルにビデオデータを記録する方式であり、ＲＯＷ方式は、上書き可能な光ディスクに適用される方式である。但し、ＲＯＷ方式においても、未記録領域にデータを記録する場合には、シーケンシャルにビデオデータを記録する。これらＩＮＣ方式及びＲＯＷ方式においては、リードインの内周側に設けられたＲＭＡ（Ｒｅｃｏｒｄｉｎｇ　Ｍａｎａｇｅｍｅｎｔ　Ａｒｅａ　）により、後述する予約等の光ディスクへの処理が管理されるようになされている。
【０００８】
図１２は、ＩＮＣ方式による記録手順を示す図表である。ＩＮＣ方式においては、一度に書き込むエリアは最大３つまでと定義されており、このエリアをそれぞれＲｚｏｎｅと呼び、各ＲｚｏｎｅをＲＭＡで管理する。
【０００９】
動画を記録する場合、ＩＮＣ方式においては、始めにＲｚｏｎｅを予約する（図１２（Ａ））。ここでＲｚｏｎｅの予約は、管理情報の記録領域であるＵＤＦ領域、ＶＭＧ領域を形成するＲｚｏｎｅ１の領域を定義し、続いてリアルタイムデータ記録エリアを形成する未記録領域に、先頭のＶＴＳのＶＴＳＩ、ＶＴＳＭＶＯＢＳを形成するＲｚｏｎｅ２の領域を定義し、残る未記録領域をＩｎｖｉｓｉｂｌｅ　Ｒｚｏｎｅの領域と定義して実行される。ＩＮＣ方式は、このＲｚｏｎｅ１、Ｒｚｏｎｅ２の予約により、管理情報の記録領域を確保し、また先頭のＶＴＳのＶＴＳＩ、ＶＴＳＭ　ＶＯＢＳを形成する領域を確保するようになされている。
【００１０】
ＩＮＣ方式においては、Ｉｎｖｉｓｉｂｌｅ　Ｒｚｏｎｅの先頭側より順次ビデオデータを記録することにより、実データによるＶＴＳＴＴ　ＶＯＢＳを形成する。さらにユーザーの指示により、１つのタイトルについて実データの記録が完了すると、この実データの記録に続いてＶＴＳＩ　ＢＵＰを記録し（図１２（Ｂ））、また先頭側に戻ってＲｚｏｎｅ２にＶＴＳＩ、ＶＴＳＭ　ＶＯＢＳを形成し（図１２（Ｃ））、Ｒｚｏｎｅ２を閉じる。これによりＩＮＣ方式においては、１つのＶＴＳを光ディスクに記録する。
【００１１】
また続けて次のタイトルを記録する場合、ＩＮＣ方式においては、残りの未記録領域にＲｚｏｎｅ３を予約してＶＴＳＩ、ＶＴＳＭ　ＶＯＢＳの領域を確保し、Ｉｎｖｉｓｉｂｌｅ　Ｒｚｏｎｅを定義する（図１２（Ｄ））。さらに続いて、実データの記録によりＶＴＳＴＴ　ＶＯＢＳを形成した後、ＶＴＳＩ　ＢＵＰを形成し（図１２（Ｅ））、先に確保した領域にＶＴＳＩ、ＶＴＳＭ　ＶＯＢＳを形成する（図１２（Ｆ））。これにより光ディスクでは、続くＶＴＳが記録される（図１２（Ｇ））。ＩＮＣ方式においては、引き続きタイトルを記録する場合、同様に未記録領域を定義して順次ＶＴＳを記録する。
【００１２】
これに対してこのようにＶＴＳを順次記録して、リアルタイムデータ記録エリアが形成されてなる光ディスクについて、ＩＮＣ方式においては、ファイナライズの処理によりＵＤＦ領域、ＶＭＧ領域を形成し、さらにリードイン、リードアウトを形成し（図１２（Ｈ））、これにより再生専用の光ディスクとの互換性が図られる。なおこのＵＤＦ領域、ＶＭＧ領域の形成においては、各タイトルのＶＴＳＩ、ＶＴＳＭ　ＶＯＢＳのデータより、ＵＤＦ、ＶＭＧのデータを生成し、このデータをＲｚｏｎｅ１に記録してＲｚｏｎｅ１を閉じることにより実行される。
【００１３】
これに対して図１３は、ＲＯＷ方式による記録手順を示す図表である。ＲＯＷ方式においては、リードイン、ＵＤＦ、ＶＭＧ、先頭タイトルのＶＴＳＩ、ＶＴＳＭ　ＶＯＢＳの記録領域をパディングにより事前に確保する（図１３（Ａ））。ここでパディングは、ＮＵＬＬ等のダミーデータを記録して領域を確保する処理である。
【００１４】
このようにしてこれらの領域を確保すると、ＲＯＷ方式においては、順次ビデオデータを記録することにより、実データによるＶＴＳＴＴ　ＶＯＢＳを形成し（図１３（Ｂ））、１つのタイトルについて実データの記録が完了すると、続いてＶＴＳＩ　ＢＵＰを記録し、さらに続くタイトルのＶＴＳＩ、ＶＴＳＭ　ＶＯＢＳの記録領域の確保のために、パディングの処理を実行する（図１３（Ｂ））。また続いて先頭側に戻ってこの実データの記録に対応するＶＴＳＩ、ＶＴＳＭＶＯＢＳを形成する（図１３（Ｃ））。これによりＲＯＷ方式においては、１つのＶＴＳを光ディスクに記録する。
【００１５】
また続けて次のタイトルを記録する場合、ＲＯＷ方式においては、直前のＶＴＳにより形成したパディングの領域に続いて、実データの記録によりＶＴＳＴＴ
ＶＯＢＳ、ＶＴＳＩ　ＢＵＰを形成し、続くタイトルのＶＴＳＩ、ＶＴＳＭ
ＶＯＢＳの記録領域の確保のために、パディングの処理を実行する（図１３（Ｄ））。また続いてＶＴＳＩ、ＶＴＳＭ　ＶＯＢＳを形成し（図１３（Ｅ））、これにより続くＶＴＳを光ディスクに記録する（図１３（Ｆ））。ＲＯＷ方式においては、引き続きタイトルを記録する場合、同様にパディング等の処理を実行して順次ＶＴＳを記録する。
【００１６】
これに対してこのようにＶＴＳを順次記録して、リアルタイムデータ記録エリアが形成されてなる光ディスクについて、ＲＯＷ方式においては、ＩＮＣ方式と同様のファイナライズの処理によりＵＤＦ領域、ＶＭＧ領域を形成し、さらにリードイン、リードアウトを形成し（図１３（Ｈ））、これにより再生専用の光ディスクとの互換性が図られるようになされている。
【００１７】
【発明が解決しようとする課題】
ところでこのような光ディスクにおいては、磁気テープに代えて、携帯型のビデオレコーダに適用することが考えられる。この場合、従来の携帯型のビデオレコーダにおいては、動画だけでなく、静止画についても記録することができるものがあることにより、この種の光ディスクにおいても、動画以外の静止画等について、記録できることが望まれる。
【００１８】
因みに、上述したフォーマットにおいては、この種のファイルの記録については何ら考慮されておらず、これにより結局、静止画等にあっては、メモリに保持し、別の記録媒体に別途記録することが必要になる。
【００１９】
またこのような動画以外の静止画等の記録においては、可能な限り情報記録面を有効に利用することが求められる。
【００２０】
本発明は以上の点を考慮してなされたもので、情報記録面を有効に利用して、動画以外の静止画等のファイルについても記録することができる光ディスク装置、光ディスクの記録方法、光ディスクの記録方法のプログラム及び光ディスクの記録方法のプログラムを記録した記録媒体を提案しようとするものである。
【００２１】
【課題を解決するための手段】
かかる課題を解決するため請求項１の発明においては、光ディスク装置に適用して、１又は複数の動画ファイル以外の拡張ファイルと、この拡張ファイルの拡張管理情報とを組にして光ディスクに記録し、この拡張管理情報に、少なくとも同一の組に係る拡張ファイルの再生に必要な拡張ファイル情報と、それまでに記録されている他の組の拡張ファイル情報の記録位置を示すエリア管理情報と、同一の組に係る拡張ファイル情報の記録位置を示すエリア管理情報とを割り当てるようにする。
【００２２】
また請求項９の発明においては、光ディスクの記録方法に適用して、１又は複数の動画ファイル以外の拡張ファイルと、この拡張ファイルの拡張管理情報とを組にして光ディスクに記録する拡張ファイル記録のステップを有し、この拡張ファイル記録のステップは、拡張管理情報に、少なくとも同一の組に係る拡張ファイルの再生に必要な拡張ファイル情報と、それまでに記録されている他の組の拡張ファイル情報の記録位置を示すエリア管理情報と、同一の組に係る拡張ファイル情報の記録位置を示すエリア管理情報とを割り当てて記録する。
【００２３】
また請求項１３の発明においては、光ディスクの記録方法のプログラムに適用して、１又は複数の動画ファイル以外の拡張ファイルと、この拡張ファイルの拡張管理情報とを組にして光ディスクに記録する拡張ファイル記録のステップを有し、この拡張ファイル記録のステップは、拡張管理情報に、少なくとも同一の組に係る拡張ファイルの再生に必要な拡張ファイル情報と、それまでに記録されている他の組の拡張ファイル情報の記録位置を示すエリア管理情報と、同一の組に係る拡張ファイル情報の記録位置を示すエリア管理情報とを割り当てて記録する。
【００２４】
また請求項１６の発明においては、光ディスクの記録方法のプログラムを記録した記録媒体に適用して、光ディスクの記録方法のプログラムは、１又は複数の動画ファイル以外の拡張ファイルと、この拡張ファイルの拡張管理情報とを組にして光ディスクに記録する拡張ファイル記録のステップを有し、この拡張ファイル記録のステップは、拡張管理情報に、少なくとも同一の組に係る拡張ファイルの再生に必要な拡張ファイル情報と、それまでに記録されている他の組の拡張ファイル情報の記録位置を示すエリア管理情報と、同一の組に係る拡張ファイル情報の記録位置を示すエリア管理情報とを割り当てて記録する。
【００２５】
請求項１の構成によれば、光ディスク装置に適用して、１又は複数の動画ファイル以外の拡張ファイルと、この拡張ファイルの拡張管理情報とを組にして光ディスクに記録し、この拡張管理情報に、少なくとも同一の組に係る拡張ファイルの再生に必要な拡張ファイル情報と、それまでに記録されている他の組の拡張ファイル情報の記録位置を示すエリア管理情報と、同一の組に係る拡張ファイル情報の記録位置を示すエリア管理情報とを割り当てることにより、各拡張ファイルについては、対応する拡張ファイル情報と組にして記録して、他の拡張管理情報に割り当てられたエリア管理情報により再生することができる。これにより拡張ファイル情報をいちいちまとめて記録しなくても、拡張ファイル情報を分散して記録して、これら拡張ファイル情報により拡張ファイルを再生することができる。これにより情報記録面を有効に利用して、動画以外の静止画等のファイルについても記録することができる。
【００２６】
これにより請求項９、請求項１３、請求項１６の構成によれば、情報記録面を有効に利用して、動画以外の静止画等のファイルについても記録することができる光ディスクの記録方法、光ディスクの記録方法のプログラム、光ディスクの記録方法のプログラムを記録した記録媒体を提供することができる。
【００２７】
【発明の実施の形態】
以下、適宜図面を参照しながら本発明の実施の形態を詳述する。
【００２８】
（１）第１の実施の形態
（１−１）第１の実施の形態の構成
図２は、本発明の第１の実施の形態に係る光ディスク装置を示すブロック図である。この光ディスク装置１は、携帯型のビデオレコーダであり、ＤＶＤである光ディスク２に撮像結果を記録できるようになされている。
【００２９】
すなわちこの光ディスク装置１において、映像入力部３は、図示しない撮像手段より得られる撮像結果である映像信号、外部機器から入力される映像信号をアナログディジタル変換処理し、ビデオデータを出力する。なおここでこの内蔵の撮像手段は、マイコン４による制御により、動画による撮像結果、静止画による撮像結果を出力するようになされ、これによりこの映像入力部３においては、マイコン４による撮像手段の制御に応動して、動画、静止画によるビデオデータを選択的に出力するようになされている。
【００３０】
オーディオ入力部５は、マイクで取得される音声信号、外部入力による音声信号をアナログディジタル変換処理し、オーディオデータを出力する。
【００３１】
圧縮／伸長処理部６は、マイコン４の制御により、動作を切り換え、記録再生に供するデータを処理する。すなわち圧縮／伸長処理部６は、映像入力部３、オーディオ入力部５から入力されるビデオデータ、オーディオデータの記録時、ランダムアクセスメモリ（ＲＡＭ）９を用いて、これらビデオデータ及びオーディオデータをデータ圧縮して多重化処理し、ヘッダー情報処理部７に出力する。またこれとは逆に、再生時、同様にランダムアクセスメモリ９を用いて、ヘッダー情報処理部７より得られるデータをビデオデータ及びオーディオデータに分離した後、それぞれデータ伸長して出力する。
【００３２】
すなわち圧縮／伸長処理部６において、ビデオ処理部８は、マイコン４の制御により、記録時、映像入力部３から出力されるビデオデータをデータ圧縮して出力する。このときこのビデオデータが動画によるビデオデータの場合、ＭＰＥＧ２のフォーマットによりデータ圧縮するのに対し、このビデオデータが静止画によるビデオデータの場合、ＪＰＥＧ（Ｊｏｉｎｔ　Ｐｈｏｔｏｇｒａｐｈｉｃ　Ｃｏｄｉｎｇ　Ｅｘｐｅｒｔｓ　Ｇｒｏｕｐ　）のフォーマットによりデータ圧縮する。またビデオ処理部８は、再生時、多重化処理部１０から出力されるビデオデータを、このビデオデータのデータ圧縮フォーマットに対応してデータ伸長して出力する。
【００３３】
オーディオ処理部１１は、記録時、オーディオ入力部５から出力されるオーディオデータをＭＰＥＧ、ドルビーオーディオ、またはリニアＰＣＭ等のフォーマットによりデータ圧縮して出力する。またこれとは逆に、再生時、多重化処理部１０から得られるオーディオデータをデータ伸長して出力する。
【００３４】
多重化処理部１０は、記録時、ビデオ処理部８から出力されるビデオデータ、オーディオ処理部１１から出力されるオーディオデータを時分割多重化してヘッダー情報処理部７に出力する。またこれとは逆に、再生時、ヘッダー情報処理部７から出力される時分割多重化データよりビデオデータ及びオーディオデータを分離し、それぞれビデオ処理部８、オーディオ処理部１１に出力する。
【００３５】
モニタ部１２は、映像入力部３から入力されるビデオデータ、オーディオ入力部５から入力されるオーディオデータ、又は圧縮／伸長処理部６から出力されるビデオデータ、オーディオデータをモニタする表示機構、音声処理機構により構成され、これによりこの光ディスク装置１では、撮像結果をモニタし、再生結果をモニタできるようになされている。
【００３６】
ビデオ／オーディオエンコーダ１３は、オーディオ入力部５から入力されるビデオデータ及びオーディオデータ、又は圧縮／伸長処理部６から出力されるビデオデータ及びオーディオデータを所定フォーマットによりデータ圧縮して外部機器に出力する。これによりこの光ディスク装置１では、撮像結果、再生結果を外部機器でモニタできるようになされている。
【００３７】
ヘッダー情報処理部７は、記録時、圧縮／伸長処理部６から出力される時分割多重化データを受け、マイコン４の制御により、ＤＶＤに固有のヘッダー情報、後述する拡張ファイルのヘッダー情報等を付加して出力する。またマイコン４から情報により、ＵＤＦ、ＶＭＧ、ＶＴＳＩ等のデータを生成してＤＶＤ信号処理部１４に出力する。また再生時等において、ＤＶＤ信号処理部１４の出力データから、記録時に付加したヘッダー情報を分離して圧縮／伸長処理部６に出力する。またこの分離したヘッダー情報をマイコン４に通知する。なおここで拡張ファイルとは、この光ディスク２について規格化されたフォーマットであるＤＶＤビデオフォーマットで定義されていないファイルであり、この実施の形態ではこの拡張ファイルに静止画のファイルが適用されるようになされている。
【００３８】
ＤＶＤ信号処理部１４は、記録時、ランダムアクセスメモリ１５を用いて、ヘッダー情報処理部７の出力データよりエラー訂正符号を生成し、このエラー訂正符号をこの出力データに付加する。またスクランブル処理、８／１６変調等の処理を実行し、その処理結果によるデータ列をシリアルデータ列によりアナログフロントエンド部１６に出力する。
【００３９】
これに対して再生時、ＤＶＤ信号処理部１４は、記録時とは逆に、アナログフロントエンド部１６の出力データを復号処理、デスクランブル処理、エラー訂正処理し、処理結果をヘッダー情報処理部７に出力する。またＤＶＤ信号処理部１４は、マイコン４から出力されるスピンドル制御用、トラッキング制御用、フォーカス制御用、スレッド制御用の各種駆動情報をディジタルアナログ変換処理してこれらの駆動信号を生成し、これら駆動信号をモーターアンプ部１８に出力する。
【００４０】
アナログフロントエンド部１６は、光学ヘッド１９から光ディスク２に照射するレーザービームについて、光量制御信号を生成して出力する。アナログフロントエンド部１６は、再生時、この光量制御信号により光学ヘッド１９から光ディスク２に照射するレーザービームの光量を再生用の一定光量に保持するのに対し、記録時、ＤＶＤ信号処理部１４からの出力データに応じてこの光量制御信号の信号レベルを変化させ、これによりこのＤＶＤ信号処理部１４からの出力データに応じてレーザービームの光量を再生時の光量から記録の光量に間欠的に立ち上げる。
【００４１】
またアナログフロントエンド部１６は、光学ヘッド１９から得られる戻り光の受光結果を増幅して演算処理することにより、光ディスク２に形成されたピット列に対応して信号レベルが変化する再生信号を生成し、この再生信号の信号処理によりこの再生信号の２値識別結果である再生データをＤＶＤ信号処理部１４に出力する。またこの演算処理により、トラッキングエラー量、フォーカスエラー量に応じて信号レベルが変化するトラッキングエラー信号、フォーカスエラー信号等を生成し、これらの信号をディジタル信号によりマイコン４に出力する。
【００４２】
モーターアンプ部１８は、ＤＶＤ信号処理部１４から出力される各種駆動信号により、それぞれ対応する機構を駆動する。すなわちモーターアンプ部１８は、これらの駆動信号のうち、スピンドル制御用の駆動信号、スレッド制御用の駆動信号によりスピンドルモータ２０、スレッドモータ２１を回転駆動する。またトラッキング制御用の駆動信号、フォーカス制御用の駆動信号により光学ヘッド１９に搭載のアクチュエータを駆動する。
【００４３】
スピンドルモータ２０は、光ディスク２をチャッキングして所定の回転速度により回転駆動する。スレッドモータ２１は、光学ヘッド１９を光ディスク２の半径方向に可動させる。
【００４４】
光学ヘッド１９は、アナログフロントエンド部１６から出力される光量制御信号により内蔵の半導体レーザーからレーザービームを出射し、対物レンズを介してこのレーザービームを光ディスク２の情報記録面に集光する。またこのレーザービームの照射により光ディスク２から得られる戻り光をこの対物レンズを介して所定の受光素子に導き、この受光素子の受光結果をアナログフロントエンド部１６に出力する。光学ヘッド１９は、この対物レンズがトラッキング制御用の駆動信号、フォーカス制御用の駆動信号により駆動されるアクチュエータにより可動するようになされ、これによりトラッキング制御、フォーカス制御できるようになされている。またレーザービームの光量が光量制御信号により間欠的に立ち上げられ、これにより光ディスク２の情報記録面を局所的に温度上昇させて所望のデータを記録するようになされている。
【００４５】
マイコン４は、この光ディスク装置１全体の動作を制御するコンピュータであり、この光ディスク装置１に事前にインストールされた処理プログラムを実行することにより図示しない操作部を介して得られるユーザーの操作により、さらにはアナログフロントエンド部１６で検出される各種信号等により、各部の動作を制御する。すなわちマイコン４は、アナログフロントエンド部１６で検出されるトラッキングエラー信号、フォーカスエラー信号により、トラッキング制御用、フォーカス制御用の駆動情報を生成し、ＤＶＤ信号処理部１４でアナログ信号に変換してモーターアンプ部１８に出力し、これによりトラッキング制御、フォーカス制御の処理を実行する。またヘッダー情報処理部７で検出されるヘッダー情報等によりレーザービーム照射位置を検出し、この検出結果よりスレッド制御用の駆動情報を生成してＤＶＤ信号処理部１４に出力し、これによりシーク等の処理を実行する。また同様にしてスピンドル制御の処理を実行する。
【００４６】
またこれらの光ディスク２に関する処理を前提として、マイコン４は、光ディスク２が装填されると、また光ディスク２を装填した状態で電源が立ち上げられると、光ディスク２の内周側領域をアクセスして光ディスク２の種類を判定し、この光ディスク２が再生専用の光ディスクの場合、又はファイナライズ処理されてなる光ディスク２の場合、ＶＭＧを再生して光ディスク２に記録されたファイルの再生に必要なデータを取得する。またこの取得したデータに従ってユーザーの所望するファイルを再生するように、全体の動作を制御する。
【００４７】
これに対して光ディスク２が未だファイナライズ処理されていないＤＶＤ−Ｒ、ＤＶＤ−ＲＷの場合、ユーザーの操作に応動して全体の動作を制御し、動画及び静止画のデータを記録し、これにより動画ファイル、静止画ファイルを光ディスク２に記録する。また光ディスク２に記録された動画ファイル、静止画ファイルを再生し、再生結果をモニタ部１２で表示し、さらには外部機器に出力する。またこのような動画ファイル及び静止画ファイルを記録した光ディスク２について、ファイナライズ処理されてなる光ディスク２にあっては、ＶＭＧの記録に代えて又はＶＭＧの記録に加えて、ＵＤＦの記録に従って、光ディスク２に記録されたファイルを再生する。
【００４８】
これらの処理において、光ディスク２がＤＶＤ−Ｒの光ディスクであって、何らファイル等を記録していないバージンディスクの場合、マイコン４は、図３に示す手順により動画ファイル、拡張ファイルを順次光ディスク２に記録する。すなわちマイコン４においては、光ディスク２より取得してメモリに保持したＲＭＡの情報を更新することにより、Ｒｚｏｎｅ１を予約する（図３（Ａ））。
【００４９】
また動画を記録する場合には、同様にしてＲＭＡの情報を更新することによりＲｚｏｎｅ２、Ｉｎｖｉｓｉｂｌｅ　Ｒｚｏｎｅを予約し（図３（Ａ））、実データであるビデオデータを順次Ｉｎｖｉｓｉｂｌｅ　Ｒｚｏｎｅに記録してＶＴＳＴＴ　ＶＯＢＳを生成する。またユーザーにより録画の停止が指示されると、ＶＴＳＴＴ　ＶＯＢＳの記録開始位置のアドレス情報、ファイルサイズ、記録日時等により管理情報を生成し、この管理情報を記録してＶＴＳＩ　ＢＵＰを生成し（図３（Ｂ））、またＶＴＳＩ、ＶＴＳＭ　ＶＯＢＳを生成して１つのＶＴＳを生成する（図３（Ｃ））。またこのようにして生成したＶＴＳに対応するように、管理情報をメモリに保持し、またメモリに保持したＲＭＡの情報を更新する。
【００５０】
続いて動画を記録する場合、マイコン４は、同様にメモリに保持したＲＭＡの情報を更新して、Ｒｚｏｎｅ２、Ｉｎｖｉｓｉｂｌｅ　Ｒｚｏｎｅを予約した後、実データを順次Ｉｎｖｉｓｉｂｌｅ　Ｒｚｏｎｅに記録してＶＴＳＴＴ　ＶＯＢＳ、ＶＴＳＩ　ＢＵＰを生成し、またＶＴＳＩ、ＶＴＳＭ　ＶＯＢＳを生成し、これらに対応するように、管理情報をメモリに記録し、メモリに保持したＲＭＡの情報を更新する。
【００５１】
これによりマイコン４は、ＩＮＣ方式により動画を記録する場合には、従来のＩＮＣ方式による場合と同様に、動画ファイルと、この動画ファイルの再生に必要な動画ファイルの管理情報であるＶＴＳＩとを組にして順次タイトルを記録するようになされている。また未だファイナライズされていない光ディスク２が装填され、この光ディスク２に追記する場合には、同様の処理を実行し、これにより撮像結果である動画を追記する。
【００５２】
これらの処理において、マイコン４は、メモリに保持したＲＭＡのデータを適宜更新し、光ディスク２の排出時、電源の立ち下げ時等において、このメモリに保持したＲＭＡのデータを光ディスク２に追記し、これにより光ディスク２のＲＭＡを書き換える。これにより光ディスク装置１においては、メモリの記録が失われた後においても、このＲＭＡの記録を基準にして、ファイナライズ前の光ディスク２をアクセスできるようになされている。
【００５３】
これに対してファイナライズの処理においては、このようにして生成してメモリに保持した管理情報によりＲｚｏｎｅ１にＵＤＦ、ＶＭＧを記録し、リードイン、リードアウトを生成する。なお未だファイナライズされていない光ディスク２に追記した場合には、既に光ディスク２に記録済のタイトルのＶＴＳＩ、ＶＴＳＭ　ＶＯＢＳにより、これらタイトルについてのＵＤＦ、ＶＭＧのデータを生成することは、言うまでもない。
【００５４】
これらによりこの光ディスク装置１では、動画のファイルについては、従来と同様のＩＮＣ方式による処理により、ＤＶＤビデオフォーマットにより記録するようになされている。
【００５５】
これに対して静止画を記録する場合、メモリに保持したＲＭＡの更新により、始めにＩｎｖｉｓｉｂｌｅ　Ｒｚｏｎｅを予約し、拡張ファイルである静止画のファイル（図３においては、ＥＦ）を順次記録する（図３（Ｅ））。またこの静止画ファイルＥＦの記録に対応するように、ファイナライズまでの間、一時的に静止画を管理する管理情報である拡張管理情報を順次作成して内蔵のメモリに保持する。
【００５６】
さらに所望するファイル数だけ静止画ファイルを記録してユーザーにより静止画ファイルの記録の終了が指示されると、メモリに保持したＲＭＡの更新により、Ｉｎｖｉｓｉｂｌｅ　Ｒｚｏｎｅを閉じ、静止画ファイルに続く領域にＲｚｏｎｅ３を予約する（図３（Ｆ））。またメモリに保持した拡張管理情報を光ディスク２への記録のフォーマットに変換し、この拡張管理情報ＤＫをＲｚｏｎｅ３に記録する（図３（Ｇ））。なおここでこの拡張管理情報ＤＫは、拡張ファイルの再生に必要な管理情報であり、詳細については後述する。
【００５７】
これによりマイコン４は、拡張ファイルについては、１又は複数の拡張ファイルと、これら拡張ファイルの拡張管理情報とを組にして光ディスク２に記録するようになされている。またこのとき、光ディスク２に記録するファイルが動画ファイルの場合、管理情報、ファイル、管理情報のバックアップ用情報が順次連続するように記録するのに対し、動画以外のファイルである静止画ファイルを光ディスク２に記録する場合、拡張ファイル、拡張管理情報を順次記録し、これによりファイルの属性に応じて、管理情報の記録フォーマットを切り換えるようになされている。
【００５８】
これらにより光ディスク装置１では、ＤＶＤビデオフォーマットによる動画によるファイルと共に、ＤＶＤビデオフォーマットによっては定義されていない静止画によるファイルを管理情報と共に記録するようになされている。
【００５９】
マイコン４は、このようにして拡張管理情報ＤＫを記録すると、内蔵のメモリにこの拡張管理情報ＤＫを記録して保持する。またこのようにして拡張管理情報ＤＫを記録した後、再び静止画によるファイルを記録する場合、マイコン４は、同様に順次拡張ファイルを記録した後、ユーザーによる終了の指示により、拡張管理情報ＤＫを記録する。
【００６０】
これに対して続いて動画を記録する場合、Ｒｚｏｎｅ、Ｉｎｖｉｓｉｂｌｅ　Ｒｚｏｎｅを予約し（図３（Ｈ））、ＶＴＳＴＴ　ＶＯＢＳ、ＶＴＳＩ　ＢＵＰ、、ＶＴＳＩ、ＶＴＳＭ　ＶＯＢＳを生成し（図３（Ｉ））、これにより拡張管理情報ＤＫに続いてＶＴＳを生成する（図３（Ｊ））。
【００６１】
またユーザーにより光ディスク２のファイナライズが指示されると、マイコン４においては、このようにして作成した全てのタイトルの管理情報（ＶＴＳＩ、ＶＴＳＴＴ　ＶＯＢＳ）、全ての拡張ファイルの拡張管理情報からＵＤＦのデータを作成して光ディスク２に記録する（図３（Ｋ））。また全てのタイトルの管理情報（ＶＴＳＩ、ＶＴＳＴＴ　ＶＯＢＳ）のみからＶＭＧのデータを生成して光ディスク２に記録する。なおこれらＵＤＦ、ＶＭＧのデータの生成においては、メモリに保持した拡張管理情報等より作成する。またマイコン４は、このようにしてＵＤＦ、ＶＭＧを記録すると、リードイン、リードアウトを作成する。なおこのようなＵＤＦ、ＶＭＧの記録、リードイン、リードアウトの作成、さらには拡張管理情報ＤＫの記録について、マイコン４は、対応するデータのＤＶＤ信号処理部１４への出力により実行する。
【００６２】
これによりこの実施の形態においては、コンピュータ用の管理情報であるＵＤＦについては、拡張ファイルについても認識して再生できるように、管理情報を記録するのに対し、ＤＶＤ再生用の管理情報であるＶＭＧについては、拡張ファイルに係る情報は何ら記録しないようになされている。
【００６３】
これに対して図４は、図３との対比により、光ディスク２がＤＶＤ−ＲＷの場合における一連の記録の手順を示す図表である。マイコン４は、光ディスク２より取得してメモリに保持したＲＭＡの情報を更新することにより、パディングの処理を実行し、ＵＤＦ、ＶＭＧの領域を確保する。またユーザーにより動画ファイルの記録が指示された場合には、パディングの処理により、続くタイトルのＶＴＳＩ、ＶＴＳＭ　ＶＯＢＳの領域を確保する（図４（Ａ））。またこれらの処理により、メモリに保持したＲＭＡのデータを更新する。
【００６４】
またユーザーにより記録の開始が指示されると、動画ファイルのデータによる実データを順次記録してＶＴＳＴＴ　ＶＯＢＳを生成した後、記録開始位置のアドレス情報、ファイルサイズ、記録日時等により管理情報を生成し、この管理情報を記録してＶＴＳＩ　ＢＵＰを生成する。また続くタイトルの記録のために、パディングによりＶＴＳＩ、ＶＴＳＭ　ＶＯＢＳの領域を確保する（図４（Ｂ））。またＶＴＳＴＴ　ＶＯＢＳの記録開始位置より所定領域分だけ戻った位置より、順次管理情報を記録し、これによりＶＴＳＩ、ＶＴＳＭ　ＶＯＢＳを形成し、これにより１つのタイトルの記録を完了する（図４（Ｃ））。これらの処理において、マイコン４は、このタイトルの管理情報をメモリに記録して保持する。
【００６５】
これにより続いて動画を記録する場合、マイコン４は、同様に各部の動作を制御し、これらにより動画ファイルの記録においては、従来と同様のＲＯＷ方式により、動画ファイルと、この動画ファイルの再生に必要な管理情報であるＶＴＳＩとを組にして、順次動画ファイルを記録するようになされている。
【００６６】
これらの処理において、マイコン４は、メモリに保持したＲＭＡのデータを適宜更新し、光ディスク２の排出時、電源の立ち下げ時等において、このメモリに保持したＲＭＡのデータにより光ディスク２のＲＭＡを書き換える。これにより光ディスク装置１においては、メモリの記録が失われた後においても、このＲＭＡの記録を基準にして、ファイナライズ前の光ディスク２をアクセスできるようになされている。
【００６７】
これに対してファイナライズの処理においては、このようにして生成してメモリに保持した管理情報によりＵＤＦ、ＶＭＧを生成し、リードイン、リードアウトを生成する。
【００６８】
これらによりこの光ディスク装置１では、動画のファイルについては、従来と同様のＲＯＷ方式による処理により記録するようになされている。
【００６９】
これに対してユーザーが静止画の記録を指示した場合、マイコン４は、パディングにより確保した領域の先頭位置に実データの記録開始位置を設定する。またマイコン４は、ユーザーによる記録開始の指示により、拡張ファイルである静止画のファイルＥＦを順次記録する（図４（Ｄ））。またこの静止画ファイルＥＦの記録に対応するように、ファイナライズまでの間、一時的に静止画を管理する管理情報である拡張管理情報を順次作成して内蔵のメモリに保持する。
【００７０】
さらに所望するファイル数だけ静止画ファイルを記録してユーザーにより静止画ファイルの記録の終了が指示されると、メモリに保持した拡張管理情報を光ディスク２への記録のフォーマットに変換し、この拡張管理情報ＤＫを記録し、続くタイトルの記録のために、パディングによりＶＴＳＩ、ＶＴＳＭ　ＶＯＢＳの領域を確保する（図４（Ｄ））。これによりマイコン４は、この場合も、１又は複数の拡張ファイルと、これらの拡張ファイルの拡張管理情報とを組にして光ディスク２に記録するようになされている。また動画ファイルについては、管理情報、動画ファイル、管理情報のバックアップ情報の順序で記録するのに対し、拡張ファイルについては、拡張ファイル、拡張管理情報の順序で記録することにより、さらには複数ファイルでまとめて拡張管理情報を記録することにより、ファイルの属性に応じて、記録フォーマットを切り換えるようになされている。
【００７１】
かくするにつきマイコン４は、続いて動画ファイルを記録する場合には、パディングにより確保した領域に続いて、実データによりＶＴＳＴＴ　ＶＯＢＳ、ＶＴＳＩ　ＢＵＰを記録した後、パディングにより続く領域を確保し、先頭側に戻ってＶＴＳＩ、ＶＴＳＭ　ＶＯＢＳを記録して１つのタイトルを記録するようになされている（図４（Ｅ）〜（Ｇ））。また静止画ファイルを記録する場合には、同様に、パディングの先頭に戻って、順次記録して管理情報を記録した後、パディングにより領域を確保するようになされている。またユーザーによるファイナライズの指示により、このような管理情報によりＵＤＦ、ＶＭＧ、リードイン、リードアウトを作成するようになされている（図４（Ｈ））。
【００７２】
図１は、このような動画ファイル、拡張ファイルの記録における拡張管理情報ＤＫの説明に供する図表である。なお以下において、拡張ファイルＥＦ及び拡張管理情報ＤＫは、適宜、記録順を示す数字を符号に付して示す。マイコン４においては、図３及び図４について上述した光ディスク２の記録において、光ディスク２のＲＭＡに設けられたＮＷＡ（Ｎｅｘｔ　Ｗｒｉｔａｂｌｅ　Ａｄｄｒｅｓｓ　）を基準にした情報記録面の管理により、拡張管理情報ＤＫ等を管理する。ここでＮＷＡは、光ディスク２における未記録領域の先頭アドレスを示し、マイコン４においては、光ディスク２が装填されると、光ディスク２からＮＷＡを再生してメモリに保持し、光ディスク２への各種データの記録に対応してメモリに保持したＮＷＡを更新する。また光ディスク２の排出時、電源立ち下げ時、このようにしてメモリに保持したＮＷＡにより光ディスク２に記録されたＮＷＡを書き換える。これによりマイコン４は、処理の途中で光ディスクが他の光ディスク装置に移し代えられた場合等でも、このＮＷＡにより未記録領域の先頭アドレスを確認することができるようになされている。
【００７３】
マイコン４においては、ＶＴＳ、拡張管理情報ＤＫを記録する毎に、続いて仮ＶＭＧ（Ｔ．Ｖ）を記録し、この仮ＶＭＧ（Ｔ．Ｖ）に続く領域の先頭アドレスをメモリに保持したＮＷＡに設定する。ここで仮ＶＭＧ（Ｔ．Ｖ）は、ファイナライズまでの間、ファイナライズにより作成されるＶＭＧに代えて光ディスク２に記録されたＶＴＳを管理する管理情報であり、光ディスク２に記録した各ＶＴＳの管理情報であるＶＴＳＩの先頭アドレスがテーブルの形式により記録されるようになされている。これにより光ディスク２においては、ＮＷＡにより指示される未記録領域の直前領域を再生してこの仮ＶＭＧ（Ｔ．Ｖ）を再生し、この仮ＶＭＧ（Ｔ．Ｖ）に記録された各ＶＴＳのＶＴＳＩを再生して、光ディスク２に記録された動画ファイルの再生に必要な各種の情報を取得できるようになされている。なお図１においては、このようなアドレスにより指し示される関係を矢印により示す。
【００７４】
この実施の形態においては、この仮ＶＭＧ（Ｔ．Ｖ）のテーブルの１つに、拡張管理情報に対応するテーブルであることを示すフラグが設定されて、光ディスク２にそれまで記録されている最新の拡張管理情報ＤＫの先頭記録位置を示すアドレスが記録されるようになされている。これによりこの光ディスク２においては、動画ファイルの再生に必要な情報と共に、拡張ファイルＥＦの再生に必要な拡張管理情報ＤＫを再生できるようになされている。
【００７５】
なお図１（Ａ）においては、始めに動画ファイルによるＶＴＳ＃１を記録し、続いて仮ＶＭＧ（Ｔ．Ｖ）を記録し、さらに複数の拡張ファイルＥＦ１、対応する拡張管理情報ＤＫ１、仮ＶＭＧ（Ｔ．Ｖ）を記録した場合であり、この場合、最後尾に記録された仮ＶＭＧ（Ｔ．Ｖ）がＮＷＡにより指し示され、この仮ＶＭＧ（Ｔ．Ｖ）によりそれぞれＶＴＳ、拡張管理情報ＤＫ１の記録位置が示されるようになされている。また図１（Ｂ）は、さらに続いて動画ファイル（ＶＴＳ＃２）を記録した場合であり、この場合、この動画ファイルに続いて記録した最後尾の仮ＶＭＧ（Ｔ．Ｖ）がＮＷＡにより指し示され、この仮ＶＭＧ（Ｔ．Ｖ）により、それぞれ先頭のＶＴＳ＃１、拡張管理情報ＤＫ１、最後尾のＶＴＳ＃２の記録位置が示されるようになされている。
【００７６】
このようにして仮ＶＭＧ（Ｔ．Ｖ）によりＶＴＳと共に記録位置が指し示される拡張管理情報ＤＫ１においては、拡張ファイルＥＦ１に続いて、順次、拡張ファイル情報ＥＸ、管理情報ＣＩ、拡張ファイルの案内情報Ｔ．Ｅが記録されて形成される。ここで拡張ファイルの案内情報Ｔ．Ｅは、拡張ファイルＥＦが記録された領域の全体を管理する情報であり、上述した仮ＶＭＧ（Ｔ．Ｖ）に先頭記録位置のアドレスが記録されるようになされ、これにより拡張管理情報ＤＫ１においては、仮ＶＭＧ（Ｔ．Ｖ）を再生して得られるアドレスより、この拡張ファイルの案内情報Ｔ．Ｅを再生することができるようになされている。なお図５及び図６において、各項目の先頭の数字は、先頭からのバイトであり、続く数字は、各項目に割り当てられるバイト数である。
【００７７】
拡張ファイルの案内情報Ｔ．Ｅは、図５（Ａ）に示すように、テンポラリインフォメーション管理テーブル（ＴＭＰ　ＥＸＴＩ　ＭＡＴ）とカテゴリ・インフォメーション・サーチ・ポインタ・テーブル（ＣＡＴ　ＩＮＦＯ　ＳＲＰＴ　）とが連続して記録されて形成される。ここでテンポラリインフォメーション管理テーブル（ＴＭＰ　ＥＸＴＩ　ＭＡＴ）は、続くカテゴリ・インフォメーション・サーチ・ポインタ・テーブル（ＣＡＴ　ＩＮＦＯ　ＳＲＰＴ　）のテーブル数を記録したテーブルであり、カテゴリ・インフォメーション・サーチ・ポインタ・テーブル（ＣＡＴ　ＩＮＦＯ　ＳＲＰＴ　）は、拡張ファイルを属性毎に管理するテーブルである。
【００７８】
テンポラリインフォメーション管理テーブル（ＴＭＰ　ＥＸＴＩ　ＭＡＴ）は、図５（Ｂ）に示すように、先頭１２バイトに、テンポラリインフォメーション管理テーブルであることを示す識別コードが、ＩＳＯ／ＩＥＣ６４６：１９８３（ａ−ｃｈａｒａｃｔｅｒ）により割り当てられる。また続く３バイトに、対応する仮ＶＭＧ（Ｔ．Ｖ）のバージョン番号が記録され、続く１バイトがリザーブに割り当てられる。また続く８バイトに拡張ファイルの案内情報Ｔ．Ｅのデータサイズが割り当てられ、続く１バイトに種別の記録が割り当てられ、続く１バイトに、続くカテゴリ・インフォメーション・サーチ・ポインタ・テーブル（ＣＡＴ　ＩＮＦＯ　ＳＲＰＴ　）の数が記録される。ここでこのカテゴリ・インフォメーション・サーチ・ポインタ・テーブル数は、１〜２５５である。また続く１３バイトがリザーブに割り当てられる。
【００７９】
これにより拡張ファイルの案内情報Ｔ．Ｅは、仮ＶＭＧ（Ｔ．Ｖ）を基準にしてテンポラリインフォメーション管理テーブル（ＴＭＰ　ＥＸＴＩ　ＭＡＴ）を検出し、続くカテゴリ・インフォメーション・サーチ・ポインタ・テーブル（ＣＡＴ　ＩＮＦＯ　ＳＲＰＴ　）に登録されたテーブルの数を検出できるようになされている。
【００８０】
カテゴリ・インフォメーション・サーチ・ポインタ・テーブル（ＣＡＴ　ＩＮＦＯ　ＳＲＰＴ　）は、図５（Ｃ）に示すように、拡張ファイルの属性毎に形成される。カテゴリ・インフォメーション・サーチ・ポインタ・テーブル（ＣＡＴ　ＩＮＦＯ　ＳＲＰＴ　）は、先頭８バイトが拡張ファイルの種類を示す情報等に割り当てられ、また続く３バイトには、対応する管理情報ＣＩの作成形式を示すフラグ、記録開始位置のアドレス情報が割り当てられるようになされている。また続く１バイトがリザーブに割り当てられ、続く１２バイトに記録日時のタイムスタンプが割り当てられるようになされている。
【００８１】
これによりこの光ディスク２では、仮ＶＭＧ（Ｔ．Ｖ）より順次辿って、カテゴリ・インフォメーション・サーチ・ポインタ・テーブル（ＣＡＴ　ＩＮＦＯ　ＳＲＰＴ　）の先頭１１バイトの記録により、対応する拡張ファイルの形式、対応する管理情報ＣＩ、拡張ファイル情報ＥＸの記録形式を確認できるようになされ、必要に応じて簡易に拡張管理情報ＤＫを拡張して記録可能な各種拡張ファイルを種々に設定することができるようになされている。なおこのように自由フォーマットを定義できることにより、カテゴリ・インフォメーション・サーチ・ポインタ・テーブル（ＣＡＴ　ＩＮＦＯ　ＳＲＰＴ　）は、最後尾の８バイトに、フォーマットの設定者（Ｖｅｎｄｅｒ）を記述することができるようになされている。
【００８２】
図６は、管理情報ＣＩ、拡張ファイル情報ＥＸを示す図表である。ここで管理情報ＣＩは、続く拡張ファイル情報ＥＸにより管理するファイルのカテゴリを示す識別情報、ディレクトリの情報等が記録されるようになされ、これによりコンピュータにおけるファイル管理システムと互換性を維持できるようになされている。これに対して拡張ファイル情報ＥＸは、拡張ファイルの個別の管理情報であり、対応する拡張ファイルのファイル名、記録開始位置のアドレス等により形成される。
【００８３】
管理情報ＣＩは、図６（Ａ）に示すように、各カテゴリ・インフォメーション・サーチ・ポインタ・テーブル（ＣＡＴ　ＩＮＦＯ　ＳＲＰＴ　）の先頭８バイトに割り当てられた種別名に応じた構造により形成される。図６（Ａ）は、基本の構造による管理情報ＣＩを示すものであり、先頭１２バイトに、拡張ファイルの管理情報であることを示す識別コードがＩＳＯ／ＩＥＣ６４６：１９８３（ａ−ｃｈａｒａｃｔｅｒ）により記述され、続く８バイトに、対応するカテゴリ・インフォメーション・サーチ・ポインタ・テーブル（ＣＡＴ　ＩＮＦＯ　ＳＲＰＴ　）の先頭８バイトに割り当てられた機種名の情報が記録されるようになされている。また続く８バイトにこの管理情報ＣＩにより管理する拡張ファイルのディレクトリ名が記録され、続く４バイトがリザーブに割り当てられる。
【００８４】
また続く１０バイトに、更新日時、記録日時の情報が割り当てられ、続く２バイトに、この管理情報ＣＩにより管理する拡張ファイルのファイル数が記録されるようになされている。また続く１バイトに、この管理情報ＣＩにより管理する拡張ファイル情報ＥＸが記録されている領域の数が記録され、続く１９バイトと６４バイトとがリザーブに割り当てられるようになされている。また続いて、８バイト単位で、エリア管理情報が記録されるようになされている。
【００８５】
ここでエリア管理情報は、図６（Ｂ）に示すように、この管理情報ＣＩにより管理する拡張ファイル情報ＥＸが記録されている領域の数だけ設けられる。各エリア管理情報は、先頭４バイトに、対応する拡張ファイル情報ＥＸが記録されている領域の先頭記録位置を示すアドレス情報Ｍ　Ａｒｅａ　ＦＥＸＦ　Ａｄｄｒが割り当てられ、続く２バイトに、対応する拡張ファイル情報ＥＸの数が割り当てられ、残る２バイトがリザーブに割り当てられるようになされている。
【００８６】
拡張ファイル情報ＥＸは、図６（Ｃ）及び（Ｄ）に示すように、対応する拡張ファイルの再生に必要な情報が割り当てられる。すなわち拡張ファイル情報ＥＸは、先頭１２バイトが拡張ファイル情報ＥＸであることを示す識別コード等に割り当てられ、続く３バイトが拡張子の情報に割り当てられる。また続く１バイトがリザーブに割り当てられ、続く８バイトがファイル名に割り当てられる。また続く４バイトが、対応する拡張ファイルの記録開始位置を示すアドレスに割り当てられ、続く４バイトが拡張ファイルのファイルサイズの情報に割り当てられる。また続く４バイトがリザーブに割り当てられ、続く１２バイトが拡張ファイルの記録日時を示すタイムスタンプＣＲ　ＴＭ　に割り当てられ、また続く１０バイトが最新の更新日時を示す情報に、最後の８バイトがリザーブに割り当てられるようになされている。
【００８７】
これによりこの光ディスク装置１では、仮ＶＭＧ（Ｔ．Ｖ）を基準にして拡張ファイルの案内情報Ｔ．Ｅ、管理情報ＣＩ、拡張ファイル情報ＥＸを順次辿って光ディスク２に記録した拡張ファイルをディレクトリ構造によりユーザーに通知することができるようになされ、またパーソナルコンピュータのファイル管理システムを構築するのに必要な各種の情報をこれら案内情報Ｔ．Ｅ、管理情報ＣＩ、拡張ファイル情報ＥＸより取得できるようになされている。
【００８８】
このようにして拡張管理情報においてエリア管理情報が定義されていることにより、この実施の形態においては、図１（Ｂ）に示す状態よりさらに拡張ファイルＥＦ２を記録した場合、図１（Ｃ）に示すように、この新たに記録した拡張ファイルＥＦ２の拡張管理情報ＤＫ２において、新たに記録した拡張ファイルＥＦ２についてのみ、拡張ファイル情報ＥＸを記録し、この新たに記録した拡張ファイル情報ＥＸと、それまでの拡張管理情報ＤＫ１に記録された拡張ファイル情報ＥＸとにより、それぞれ拡張ファイルＥＦ１、ＥＦ２を管理できるようになされている。すなわちこの場合、管理情報ＣＩに２つのエリア管理情報を割り当て、各エリア管理情報に、それぞれ新たに記録した拡張ファイル情報群の先頭アドレスと、それまでの拡張管理情報ＤＫ１に記録された拡張ファイル情報群の先頭アドレスとを記録することにより、光ディスク２に記録された拡張ファイルＥＦ１、ＥＦ２を分散して記録した拡張ファイル情報ＥＸにより管理することができるようになされている。なお図１及び図７においては、拡張ファイル情報群を拡張ファイル情報と同一の符号により示す。
【００８９】
さらに管理情報ＣＩにおいても、ファイルの属性毎に設定できることにより、図１（Ｄ）に示すように、例えばさらにＭＰＥＧ４による拡張ファイルＥＦ３、この拡張管理情報ＤＫ３を記録した場合、静止画ファイルによる拡張ファイルＥＦ１、ＥＦ２に係るカテゴリ・インフォメーション・サーチ・ポインタ・テーブル（ＣＡＴ　ＩＮＦＯ　ＳＲＰＴ　）と、拡張ファイルＥＦ３に係るカテゴリ・インフォメーション・サーチ・ポインタ・テーブル（ＣＡＴ　ＩＮＦＯ　ＳＲＰＴ　）とをそれぞれ設定し、対応する管理情報ＣＩを設定すると共に、この対応する管理情報ＣＩにより拡張ファイルＥＦ１、ＥＦ２の拡張ファイル情報ＥＸ、拡張ファイルＥＦ３の拡張ファイル情報ＥＸとをそれぞれ指し示すように設定して、属性の異なる拡張ファイルについても、光ディスク２に分散して記録された拡張ファイル情報ＥＸにより、これら拡張ファイルＥＦ１、ＥＦ２、ＥＦ３を管理することができるようになされている。
【００９０】
またこれとは逆に、図１（Ａ）〜（Ｄ）の対比により図７（Ａ）〜（Ｄ）に示すように、拡張ファイルＥＦ１に続いて、拡張ファイルＥＦ２を記録した場合、この拡張ファイルＥＦ２の拡張管理情報ＤＫ２において、それまでの拡張管理情報ＤＫ１に記録されていた拡張ファイル情報ＥＸと、新たに記録した拡張ファイルＥＦ２の拡張ファイル情報ＥＸとをまとめて記録し、またこのまとめて記録した拡張ファイル情報群のみを指し示すように管理情報ＣＩのエリア管理情報を設定することにより、１つの拡張管理情報ＤＫ２で光ディスク２に記録された全ての拡張ファイルＥＦ１、ＥＦ２をまとめて管理することができるようになされている。なお図７（Ｄ）に示すように、属性の異なる拡張ファイルを記録した場合には、各属性の拡張ファイル毎に、集中して管理することになる。
【００９１】
このような拡張管理情報ＤＫの記録において、拡張ファイルＥＦをまとめて管理する場合には、対応する拡張管理情報を１つ再生するだけで、光ディスク２に記録された全ての拡張ファイルを再生できることにより、短い時間で所望するファイルを再生することができる。しかしながらこの方法の場合、拡張管理情報を記録する毎に、それまで光ディスク２に記録されている拡張ファイル情報をまとめて記録することになる。このためこの実施の形態において、マイコン４は、上述したエリア管理情報の設定による分散した管理により拡張管理情報を記録し、これにより情報記録面を効率良く利用する。
【００９２】
すなわちマイコン４においては、光ディスク２が装填されると、又は光ディスク２が装填された状態で電源が立ち上げられると、ＮＷＡを基準にして仮ＶＭＧ、拡張管理情報、管理情報を順次再生してメモリに保持する。また動画ファイル、拡張ファイルの記録に従って、メモリに保持した管理情報、拡張管理情報を更新し、これら管理情報、拡張管理情報を光ディスク２に記録する。この拡張管理情報の更新において、マイコン４は、それまで光ディスク２に記録されている拡張ファイル情報群の先頭アドレスをそれぞれ指示するように、また新たに記録した拡張ファイルに係る拡張ファイル情報群の先頭アドレスを指示するように、エリア管理情報を設定して拡張管理情報を更新する。
【００９３】
またこのようにしてメモリに保持した管理情報、拡張管理情報によりＵＤＦを形成し、また管理情報によりＶＭＧを形成し、ファイナライズの処理を実行する。
【００９４】
図８は、このようなマイコン４による光ディスク２の一連の処理を示すフローチャートである。マイコン４は、電源が立ち上げられると、ステップＳＰ１からステップＳＰ２に移り、図示しない光ディスク２の検出機構による検出結果より光ディスク２の有無を判断する。ここで否定結果が得られると、マイコン４は、ステップＳＰ２を繰り返す。これに対して光ディスク２が装填された状態で電源が立ち上げられた場合、さらには電源を立ち上げた後、光ディスク２が装填されると、ステップＳＰ２で肯定結果が得られることにより、ステップＳＰ２からステップＳＰ３に移る。なおマイコン４は、このステップＳＰ２の繰り返しにおいて、電源が立ち下げられると、ステップＳＰ４に直接移ってこの処理手順を終了する。
【００９５】
ステップＳＰ３において、マイコン４は、スレッドモータ２１を駆動して光学ヘッド１９を光ディスク２の最内周に移動させ、この最内周側の再生結果をＤＶＤ信号処理部１４から取得することにより、ファイナライズ処理されている光ディスク２については、ＶＭＧのデータを取得する。これに対して光ディスク２が未だファイナライズ処理されていない場合には、ＲＭＡの情報を取得する。またこのＲＭＡの情報により、光ディスク２のリアルタイムデータ記録エリアに既にデータが記録されていると判断される場合には、ＮＷＡを基準にして順次仮ＶＭＧ、各タイトルの管理情報ＶＴＳＩのデータを取得する。これによりマイコン４は、通常のＤＶＤを記録再生する光ディスク装置と同様に、光ディスク２の記録再生に必要な光ディスク２の管理情報を取得するようになされている。
【００９６】
この処理において、マイコン４は、ＶＭＧのデータに加えて、ＵＤＦのデータも併せて取得する。またリアルタイムデータ記録エリアに拡張管理情報ＤＫが記録されている場合には、この拡張管理情報ＤＫも併せて取得する。これによりマイコン４は、ＤＶＤ−ビデオフォーマットで定義されていない拡張ファイルに関しても光ディスク２より再生可能に、この拡張ファイルの管理情報についても併せて取得するようになされている。マイコン４は、このようにして取得した一連の管理情報を内蔵のメモリに記録して保持する。
【００９７】
続いてマイコン４は、ステップＳＰ５に移り、光ディスク２の排出が指示されたか否か判断し、ここで肯定結果が得られると、光ディスク２の排出を図示しないローディング機構に指示した後、ステップＳＰ２に戻る。
【００９８】
これに対してユーザーより光ディスク２の排出以外の指示が得られると、ステップＳＰ５からステップＳＰ６に移り、このユーザーによる操作が記録を指示する操作か（ＲＥＣにより示す）、再生を指示する操作か（ＰＢにより示す）、電源の立ち下げを指示する操作が（Ｐｏｗｅｒ　ＯＦＦにより示す）か判断する。ここでユーザーによる操作が再生を指示する操作の場合、マイコン４は、ステップＳＰ６からステップＳＰ７に移り、光ディスク２に記録されたファイルを再生する再生処理手順を実行してステップＳＰ５に戻る。
【００９９】
これに対してユーザーによる操作が記録を指示する操作の場合、マイコン４は、ステップＳＰ６からステップＳＰ８に移り、光ディスク２に動画又は静止画を記録する記録処理手順を実行してステップＳＰ５に戻る。なおマイコン４は、光ディスク２がいわゆるファイナライズ処理されてＵＤＦ、ＶＭＧが形成されている場合、光ディスク２にデータを記録できないように処理されていることにより、記録処理手順を省略してステップＳＰ５に戻る。またこのようにファイナライズ処理されている場合でも、光ディスク２が消去可能なＤＶＤ−ＲＷの場合、ユーザーの確認により記録済データを消去して、記録処理手順を実行する。
【０１００】
これに対してユーザーによる操作が電源を立ち下げる操作の場合、マイコン４は、ステップＳＰ６からステップＳＰ９に移り、電源立ち下げの処理を実行し、ステップＳＰ４に移ってこの処理手順を終了する。なおマイコン４は、これら光ディスク２の排出時、又は電源の立ち下げ時、光ディスク２に記録した最新の仮ＶＭＧをＮＷＡにより指し示すように、必要に応じてＲＭＡにおけるＮＷＡの記録を更新する。
【０１０１】
マイコン４は、このようにして実行される処理手順のうちの記録処理手順において、光ディスク２がＤＶＤ−Ｒの場合、図３について上述したＩＮＣ方式により動画、静止画のファイルを記録する。これに対して光ディスク２がＤＶＤ−ＲＷ、ＤＶＤ−ＲＡＭの場合、図４について上述したＲＯＷ方式により動画、静止画のファイルを記録する。
【０１０２】
図９は、図８について上述した記録処理手順を示すフローチャートである。マイコン４は、この記録処理手順を開始すると、ステップＳＰ１１からステップＳＰ１２に移り、ユーザーによる記録の指示が動画の記録に係るものか、静止画の記録に係るものか、ファイナライズの処理に係るものか判断する。
【０１０３】
ここでユーザーによる記録の指示が動画の記録に係るものの場合、マイコン４は、ステップＳＰ１２からステップＳＰ１３に移り、ユーザーにより記録の開始が指示されたか否か判断する。ここで否定結果が得られると、マイコン４は、ステップＳＰ１３を繰り返すのに対し、肯定結果が得られると、ステップＳＰ１３からステップＳＰ１４に移り、図３及び図４について説明したように、実データを記録する。さらにステップＳＰ１５に移り、ユーザーにより記録の停止が指示されたか否か判断し、ここで否定結果が得られると、ステップＳＰ１４に戻る。これによりマイコン４は、ステップＳＰ１４−ＳＰ１５−ＳＰ１４の処理手順を繰り返し、順次、実データを記録し、ステップＳＰ１５で肯定結果が得られると、実データの記録を終了してＶＴＳＴＴ　ＶＯＢＳの記録を完了する。
【０１０４】
続いてマイコン４は、ステップＳＰ１６に移り、ＶＴＳＩ　ＢＵＰ、ＶＴＳＩ、ＶＴＳＭ　ＶＯＢＳを順次形成し、また仮ＶＭＧを形成する。またこの仮ＶＭＧを指し示すように、メモリに記録したＮＷＡを更新し、これにより１つのＶＴＳを記録し、ステップＳＰ１７に移ってこの処理手順を終了する。
【０１０５】
これに対してユーザーにより指示が静止画の記録の場合、マイコン４は、ステップＳＰ１２からステップＳＰ１８に移り、ユーザーにより記録の開始が指示されたか否か判断する。ここで否定結果が得られると、マイコン４は、ステップＳＰ１８を繰り返すのに対し、肯定結果が得られると、ステップＳＰ１８からステップＳＰ１９に移り、図３及び図４について説明したように、静止画ファイルによる拡張ファイルを記録する。さらにステップＳＰ２０に移り、ユーザーにより記録の停止が指示されたか否か判断し、ここで否定結果が得られると、ステップＳＰ１９に戻る。これによりマイコン４は、ステップＳＰ１９−ＳＰ２０−ＳＰ１９の処理手順を繰り返し、順次、静止画ファイルを記録し、ステップＳＰ２０で肯定結果が得られると、静止画ファイルの記録を終了してステップＳＰ２１に移る。ここでマイコン４は、拡張管理情報ＤＫ、仮ＶＭＧを記録し、ステップＳＰ１７に移ってこの処理手順を終了する。
【０１０６】
これに対してユーザーにより記録の指示がファイナライズの処理に係るものの場合、マイコン４は、ステップＳＰ１２からステップＳＰ２２に移り、ユーザーにより記録の開始が指示されたか否か判断する。ここで否定結果が得られると、マイコン４は、ステップＳＰ２２を繰り返すのに対し、肯定結果が得られると、ステップＳＰ２２からステップＳＰ２３に移り、図３及び図４について説明したように、ファイナライズの処理を実行した後、ステップＳＰ１７に移ってこの処理手順を終了する。
【０１０７】
これに対して図１０は、図８について上述した再生処理手順を示すフローチャートである。マイコン４は、この再生処理手順を開始すると、ステップＳＰ３１からステップＳＰ３２に移り、ユーザーによる再生の指示が動画の記録に係るものか、静止画の記録に係るものか判断する。
【０１０８】
ここでユーザーによる再生の指示が動画の再生に係るものの場合、マイコン４は、ステップＳＰ３２からステップＳＰ３３に移り、ユーザーにより再生の開始が指示されたか否か判断する。ここで否定結果が得られると、マイコン４は、ステップＳＰ３３を繰り返すのに対し、肯定結果が得られると、ステップＳＰ３３からステップＳＰ３４に移る。ここでマイコン４は、メモリに記録して保持した管理情報を基準にして、ユーザーにより指示された動画のファイルを再生するように全体の動作を制御する。
【０１０９】
すなわち光ディスク２がファイナライズ処理された光ディスクの場合、メモリに保持したＶＭＧのデータにより対応するファイルの記録位置を検出し、この記録位置からの再生を光ディスク装置１の各部に指示する。これに対して光ディスク２がファイナライズ処理されていない光ディスクの場合、メモリに保持した各タイトルのＶＴＳＩにより対応するファイルの記録位置を検出し、この記録位置からの再生を光ディスク装置１の各部に指示する。
【０１１０】
このように再生を指示すると、マイコン４は、続いてステップＳＰ３５に移り、ユーザーにより再生の停止が指示されたか否か判断し、ここで否定結果が得られると、ステップＳＰ３４に戻る。これによりマイコン４は、ステップＳＰ３４−ＳＰ３５−ＳＰ３４の処理手順を繰り返し、順次、ユーザーにより指示された動画のファイルを再生する。これに対してステップＳＰ３５で肯定結果が得られると、再生の動作を終了し、ステップＳＰ３６に移り、この処理手順を終了する。
【０１１１】
これに対してユーザーによる再生の指示が拡張ファイルの再生に係るものの場合、マイコン４は、ステップＳＰ３２からステップＳＰ３７に移り、ユーザーにより再生の開始が指示されたか否か判断する。ここで否定結果が得られると、マイコン４は、ステップＳＰ３７を繰り返すのに対し、肯定結果が得られると、ステップＳＰ３７からステップＳＰ３８に移る。
【０１１２】
ここでマイコン４は、光ディスク２がファイナライズ処理された光ディスクの場合、メモリに保持したＵＤＦのデータにより対応するファイルの記録位置を検出し、この記録位置からの再生を光ディスク装置１の各部に指示する。これに対して光ディスク２がファイナライズ処理されていない光ディスクの場合、メモリに保持した拡張管理情報ＤＫより対応するファイルの記録位置を検出し、この記録位置からの再生を光ディスク装置１の各部に指示する。
【０１１３】
このように再生を指示すると、マイコン４は、続いてステップＳＰ３９に移り、ユーザーにより再生の停止が指示されたか否か判断し、ここで否定結果が得られると、ステップＳＰ３８に戻る。これによりマイコン４は、ステップＳＰ３８−ＳＰ３９−ＳＰ３８の処理手順を繰り返し、順次、ユーザーにより指示された静止画のファイルを再生する。これに対してステップＳＰ３９で肯定結果が得られると、再生の動作を終了し、ステップＳＰ３６に移り、この処理手順を終了する。
【０１１４】
（１−２）第１の実施の形態の動作
以上の構成において、この光ディスク装置１では（図１）、電源が立ち上げられた状態でユーザーにより光ディスクが装填されると、また光ディスクが装填された状態で電源が立ち上げられると、マイコン４によるＤＶＤ信号処理部１４、モーターアンプ部１８を介したスレッドモータ２１の駆動により、光学ヘッド１９が光ディスク２の内周側に移動する。さらに光学ヘッド１９により光ディスク２にレーザービームを照射し、戻り光の光学ヘッド１９による受光結果がアナログフロントエンド部１６、マイコン４で順次処理され、このマイコン４の処理によるＤＶＤ信号処理部１４、モーターアンプ部１８を介した光学ヘッド１９の制御により、トラッキング制御、フォーカス制御の処理が実行される。また受光結果のＤＶＤ信号処理部１４による処理により、光ディスク２に記録されたデータが再生される。光ディスク装置１では、この一連の処理により、光ディスク２の内周側に記録された各種情報がマイコン４で取得され、マイコン４に内蔵のメモリに保持される。
【０１１５】
この光ディスク２がスタンパにより作成された再生専用の光ディスクの場合、さらには光ディスク２が動画ファイルのみを記録したファイナライズ処理されてなる光ディスクの場合、この一連の処理により、マイコン４には、光ディスク２の内周側に記録されたＤＶＤプレイヤー用の管理情報であるＶＭＧのデータが取得される。これにより光ディスク装置１では、ユーザーにより光ディスク２の再生が指示されると、このＶＭＧのデータに従って、ＤＶＤ信号処理部１４、モーターアンプ部１８を介したスピンドルモータ２０の駆動により、ユーザーの所望するタイトルの記録位置まで光学ヘッド１９がシークし、さらには光学ヘッド１９の受光結果によりトラッキング制御、フォーカス制御した状態で、光学ヘッド１９の受光結果がＤＶＤ信号処理部１４、ヘッダー情報処理部７、圧縮／伸長処理部６で順次処理されて動画によるビデオデータが再生される。すなわち受光結果である光ディスク２のピット列に応じて信号レベルが変化する再生信号がアナログフロントエンド部１６で処理されて再生データが生成され、この再生データがＤＶＤ信号処理部１４で復号、デインターリーブ、誤り訂正処理される。またこの誤り訂正処理された再生データがヘッダー情報処理部７に入力され、ここでヘッダーが除去され、このヘッダーの情報がマイコン４に通知される。また続いて圧縮／伸長処理部６に入力され、多重化処理部１０でビデオデータ及びオーディオデータに分離され、ビデオデータについては、ビデオ処理部８によりＭＰＥＧによるデータ圧縮が解かれ、モニタ部１２により表示され、又はビデオ／エンコーダ１３より外部機器に出力される。これに対してオーディオデータは、オーディオ処理部１１でデータ伸長された後、モニタ部１２によりモニタに供され、又はビデオ／エンコーダ１３より外部機器に出力される。
【０１１６】
これに対して光ディスク２が記録可能なバージンディスクの場合、光ディスク２の装填時、電源の立ち上げ時における光ディスク２のアクセスにより、光ディスク２のＲＭＡのデータがマイコン４で取得される。光ディスク装置１では、ユーザーにより動画の撮影モードが選択されると、この光ディスク２がＤＶＤ−Ｒの場合（図１）、マイコン４において、メモリに保持したＲＭＡの更新により、ＵＤＦ、ＶＭＧを形成する領域がＲｚｏｎｅ１の予約により確保される。また光ディスク２がＤＶＤ−ＲＷ等の場合（図２）、同様にＲＭＡのデータが更新され、ＵＤＦ、ＶＭＧを形成する領域、最初のＶＴＳのＶＴＳＩ、ＶＴＳＭ　ＶＯＢＳを生成する領域がパディングにより確保される。
【０１１７】
この状態でユーザーにより録画の開始が指示されると、映像入力部３、オーディオ入力部５から順次ビデオデータ、オーディオデータが入力され、ビデオデータについてはＭＰＥＧによるビデオ処理部８でデータ圧縮の処理が実行され、オーディオデータについてはオーディオ処理部１１でデータ圧縮の処理が実行される。さらにこれらデータ圧縮されたビデオデータ及びオーディオデータが、多重化処理部１０により多重化処理され、その処理結果のデータにヘッダー情報処理部７によりヘッダーが付加される。さらに続くＤＶＤ信号処理部１４において、誤り訂正符号が付加された後、インターリーブ処理、符号化処理され、この処理結果のデータに従って光学ヘッド１９から光ディスク２に照射するレーザービームの光量がアナログフロントエンド部１６により立ち上げられ、これにより光ディスク２に順次ピット列が形成されて動画によるビデオデータが順次記録される。
【０１１８】
光ディスク装置１では、ユーザーにより記録が停止指示されると、圧縮／伸長処理部６等における一連の処理がマイコン４により停止制御されてビデオデータの記録が中止され、続いてこのようにして記録した動画によるファイルの管理情報が光ディスクに記録される。すなわち光ディスク装置１では、このようにして動画を記録してなる位置情報、ファイルサイズの情報、記録日時等の情報よりマイコン４により管理情報が生成され、ビデオデータに続いて記録するように、この管理情報がＤＶＤ信号処理部１４に出力されて光ディスク２に記録され、これによりＶＴＳＩ　ＢＵＰの領域が形成される。光ディスク２がＤＶＤ−ＲＷ等の場合、続いてパディングにより、続くＶＴＳのＶＴＳＩ、ＶＴＳＭ　ＶＯＢＳを生成する領域が確保され、先に確保したＶＴＳＩ、ＶＴＳＭ　ＶＯＢＳを生成する領域に光学ヘッド１９がシークし、この領域において、同様の管理情報がＤＶＤ信号処理部１４に出力されて光ディスク２に記録され、これによりＶＴＳＩ、ＶＴＳＭ　ＶＯＢＳの領域が形成される。また光ディスクがＤＶＤ−Ｒの場合Ｒｚｏｎｅの予約により同様の処理が実行される。
【０１１９】
光ディスク装置１では、これにより動画によるビデオデータが１タイトル記録される。これらにより光ディスク装置１では、動画によるファイルを記録する場合、ＶＴＳＩによる管理情報、ＶＴＳＭ　ＶＯＢＳによる管理情報、動画ファイル、ＶＴＳＩ　ＢＵＰによる管理情報が連続するフォーマットであるＤＶＤビデオフォーマットにより管理情報、ファイルが記録される。
【０１２０】
光ディスク装置１では、続いてユーザーにより動画の記録が指示された場合、同様の処理の繰り返しにより順次光ディスク２にタイトルが記録される。光ディスク装置１では、このようにして１つのタイトルを記録すると、ＶＴＳＩ　ＢＵＰに続いて、ＶＴＳＩの記録位置を示す仮ＶＭＧが記録されて、続く領域が確保される。またメモリに保持したＲＭＡのＮＷＡが、この仮ＶＭＧに続く領域を指し示すように更新され、光ディスク２の排出、電源の立ち下げによりこのメモリに保持したＮＷＡが光ディスク２に記録される。これにより光ディスク装置１では、ファイナライズまでの間、ＮＷＡ、仮ＶＭＧを順次辿ってＶＴＳＩを再生できるようになされ、これにより続く動画ファイルの再生に必要な情報を取得できるようになされ、またこのようにして取得したＶＴＳＩの記録に従って所望する動画ファイルを再生することができる。
【０１２１】
光ディスク装置１では、このようにしてタイトルを記録して、ユーザーによりファイナライズの処理が指示されると、メモリに記録してなるタイトルと組を形成する管理情報によりＵＤＦ、ＶＭＧのデータが生成され、これらが光ディスク２に確保された内周側領域に記録され、またリードイン、リードアウトが形成される。これによりこの光ディスクにあっては、通常のＤＶＤフォーマットのみに対応するＤＶＤプレイヤーで再生可能に設定される。
【０１２２】
これに対してユーザーにより静止画の記録モードが選択された場合、バージンディスクにおいては、動画の場合と同様にして、メモリに保持したＲＭＡの更新により、さらにはパディングによりＵＤＦ、ＶＭＧの領域が確保される。また光ディスク装置１においては、撮像手段の動作モードが静止画のモードに切り換えられ、圧縮／伸長処理部６における動作モードがＪＰＥＧによるデータ圧縮の動作モードに切り換えられる。
【０１２３】
この状態でユーザーにより静止画の録画開始が指示されると、映像入力部３より入力される静止画によるビデオデータが圧縮／伸長処理部６のビデオ処理部８でＪＰＥＧのフォーマットによりデータ圧縮された後、オーディオ処理部１１より出力されるオーディオデータと多重化処理部１０で多重化処理される。これにより光ディスク装置１では、動画によるビデオデータに代えて、静止画によるビデオデータにより記録に供するデータが生成され、このデータが動画による場合と同様にして順次光ディスク２に記録される。
【０１２４】
光ディスク装置１においては、動画の記録においては、始めにＶＴＳＩ、ＶＴＳＭ　ＶＯＢＳの領域を確保して実データを記録するのに対し、この静止画の記録においては、このような領域を確保することなく静止画による実データを記録する。またユーザーにより続く静止画の記録が指示されると、同様にして、続く静止画が光ディスク２に記録される。またこれらの記録の毎に、各ファイルの記録位置等がメモリに記録される。
【０１２５】
光ディスク装置１では、このようにして所望するファイル数だけ静止画によるファイルを光ディスクに記録してユーザーによる動作モードの切り換え等により静止画の記録停止が指示されると、メモリに保持した記録位置等による拡張管理情報ＤＫがこれら複数ファイル分、続く領域に記録される。また動画ファイルの管理情報と共に、この拡張管理情報ＤＫを指し示すように、仮ＶＭＧが記録され、さらにはＮＷＡが更新される。これにより光ディスク装置１では、ＤＶＤビデオフォーマットで定義されていない静止画等のファイルについても光ディスク２に記録することができるようになされている。
【０１２６】
またこのようにして記録した光ディスク２を通常のＤＶＤビデオフォーマットのみをサポートする光ディスク装置に装填した場合、仮ＶＭＧを基準にしてＶＴＳＩ等のＤＶＤビデオフォーマットに従って記録した管理情報が検出され、この管理情報によりＶＴＳが再生されることにより、このようにして記録した静止画等のファイル、対応する拡張管理情報については、何ら動画の再生に影響を与えないようにすることができる。これによりこのようにして記録した光ディスクにおいては、通常のＤＶＤプレイヤーにより動画のファイルを再生することが可能となる。
【０１２７】
これに対してこのような動画以外のファイルをもサポートする光ディスク装置によれば、静止画のファイルについても再生することが可能となる。すなわちこのような光ディスク２が装填された場合、光ディスク装置１では、ＮＷＡを基準にした光ディスク２のサーチにより管理情報、拡張管理情報ＤＫが再生されてマイコン４のメモリに保持される。
【０１２８】
これにより例えばユーザーの指示により光ディスク２に記録された動画及び静止画のタイトル等をユーザーに提供することができる。またユーザーによる再生の指示により、ユーザーが動画の再生を指示した場合、ＶＴＳ、ＶＴＳＭ　ＶＯＢＳのデータにより再生専用の光ディスクについて上述したと同様にして対応する動画ファイルが再生される。
【０１２９】
これに対してユーザーにより静止画ファイルの再生が指示された場合、メモリに保持した拡張管理情報より対応するファイルの記録位置等が検出され、この検出結果により順次光ディスク２に記録されたデータが再生されて、動画による再生データと同様の経路により処理される。光ディスク装置１では、この再生データの処理において、静止画による再生データを処理する場合には、ＪＰＥＧによりデータ圧縮したビデオデータをデータ伸長するように、ビデオ処理部８の処理がマイコン４により切り換えられ、これにより静止画によるビデオデータをモニタ部１２により確認し、さらにはビデオ／オーディオエンコーダ１３より外部機器に出力することが可能となる。
【０１３０】
このような静止画等によるファイルにあっては、一般に、動画によるファイルに比してファイルサイズが小さいのに対し、光ディスク装置１では、このような管理情報である拡張管理情報が複数ファイル分まとめて作成されて記録される。これにより光ディスク装置１では、このような静止画ファイル等による拡張ファイルを記録するにつき、管理情報の記録による記録領域の減少を低減することができる。
【０１３１】
またこのように複数ファイル分まとめて記録する場合に、ファイルの属性であるファイルの種類毎にまとめて記録するようになされ、これによりサーチ処理、後述するファイナライズにおける処理等を簡略化することができるようになされている。
【０１３２】
特に、この実施の形態においては、拡張ファイルと各拡張ファイルの拡張ファイル情報とを組にして記録するようにし、拡張管理情報ＤＫにおけるエリア管理情報の設定により、それまで記録されている他の組の拡張ファイル情報をエリア管理情報により指し示すことにより、まとめて記録されている個々の拡張ファイルの再生に必要な情報である拡張ファイル情報ＥＸについては、このエリア管理情報の記録により分散して管理することができるようになされ、これによりこのような拡張ファイル情報をまとめて拡張管理情報を記録する場合に比して、光ディスク２の情報記録面を有効に利用できるようになされている。
【０１３３】
光ディスク装置１では、これらによりいわゆるバージンディスク、動画のみ記録して未だファイナライズされていない光ディスク、動画及び静止画のファイルを記録して未だファイナライズされていない光ディスクに対して、動画及び静止画のファイルがユーザーの操作により順次記録される。
【０１３４】
これに対してこのようにして動画及び静止画を記録してなる光ディスクについて、ユーザーによりファイナライズが指示されると、光ディスクより取得してメモリに保持した管理情報、拡張管理情報、動画及び静止画の記録により作成してメモリに保持した管理情報、拡張管理情報により、コンピュータ用のＵＤＦのデータが作成され、このデータが光ディスク２に事前に確保された領域に記録される。また動画ファイルの管理情報だけからＤＶＤプレイヤー用のＶＭＧデータが生成され、同様にして光ディスク２に記録される。
【０１３５】
これにより光ディスク装置１では、光ディスク２の管理情報記録領域のうちの、第１の管理情報記録領域であるＵＤＦ領域に、光ディスク２に記録された全てのファイルについて、組による管理情報がまとめて記録されてコンピュータにおけるファイル管理システムが構築されるのに対し、第２の管理情報記録領域であるＤＶＤ用のＶＭＧ領域に、光ディスクに記録された特定の属性のファイルである動画ファイルについてのみ、組による管理情報がまとめて記録されＤＶＤビデオフォーマットによるファイル管理システムが構築される。
【０１３６】
これによりこのようにファイナライズされた光ディスクをＤＶＤプレイヤーより再生する場合、ＤＶＤ用であるＶＭＧ領域を基準にして光ディスク２に記録されたファイルが再生されることにより、静止画等のファイルの記録については、動画の再生に何ら影響を与えることなく、確実にＤＶＤビデオフォーマットによる動画を再生することができる。
【０１３７】
またこのようにファイナライズされた光ディスクをコンピュータにより再生する場合には、ＵＤＦがコンピュータのファイル管理システムに対応するファイル管理フォーマットであり、コンピュータにおいては、ＵＤＦにより各ファイルを再生することにより、動画のファイルはもとより、静止画等のファイルについても再生して利用することが可能となる。
【０１３８】
またこのような光ディスク２を光ディスク装置１で再生する場合には、この光ディスク装置１がＶＭＧに代えてＵＤＦを基準にして光ディスク２を再生することにより、又はＶＭＧに加えてＵＤＦを基準にして光ディスク２を再生することにより、このようにして記録された動画ファイルだけでなく静止画ファイルについても再生することができる。
【０１３９】
（１−３）第１の実施の形態の効果
以上の構成によれば、拡張ファイルと拡張ファイル情報とを組にして記録するようにし、他の組の拡張ファイル情報をエリア管理情報により指し示すことができるようにすることにより、情報記録面を有効に利用して、動画以外の静止画等のファイルについても記録することができる。
【０１４０】
すなわちこの拡張ファイル情報が、少なくとも対応する拡張ファイルの記録開始位置のアドレス、ファイルサイズ、ファイル名の情報であることにより、エリア管理情報により指し示すようにして、拡張ファイルを再生可能に記録することができる。
【０１４１】
またエリア管理情報が、少なくともまとめて記録された拡張ファイル情報の記録開始位置のアドレス、ファイル数の情報であることにより、エリア管理情報を基準にして拡張ファイル情報を間違いなく再生することができ、これにより対応する拡張ファイルを確実に再生可能に記録することができる。
【０１４２】
また拡張管理情報、動画ファイルの管理情報と共に、仮の管理情報である仮ＶＭＧを記録し、光ディスクの固定した領域のデータであるＮＷＡにより示されるアドレスによりこの仮の管理情報を再生できるようにし、この仮の管理情報に、それまでに光ディスクに記録されている動画ファイルの管理情報と、最新の拡張管理情報との記録位置を示す情報を割り当てることにより、動画ファイルと拡張ファイルとを１つの仮の管理情報により管理して、情報記録面の有効利用を図ることができる。
【０１４３】
またこの拡張管理情報において、拡張ファイルの属性毎に、拡張ファイル情報を管理することにより、異なる種類の拡張ファイルについても、分散して管理することができ、これによっても情報記録面を有効に利用して種々の拡張ファイルを再生可能に記録することができる。
【０１４４】
すなわちこのようにして記録した拡張管理情報、動画ファイルの管理情報に基づいて、光ディスクに記録された動画ファイル、拡張ファイルを再生することにより、動画以外の種々のファイルについて、光ディスクに記録されたファイルを再生することができる。
【０１４５】
またユーザーによる指示により、光ディスクの内周側領域に、管理情報及び拡張管理情報により動画ファイル及び拡張ファイルの再生に必要な情報をまとめて記録し、続く領域に、管理情報により動画ファイルの再生に必要な情報をまとめて記録することにより、拡張ファイルについても併せてファイナライズの処理を実行することができる。
【０１４６】
またこの内周側領域が、コンピュータによるファイル管理システムに対応する領域であり、続く領域が、ＤＶＤビデオフォーマットのファイル管理システムに対応する領域であるようにして、コンピュータ、ＤＶＤプレイヤーでこれらのファイルを再生可能とすることができる。
【０１４７】
（４）他の実施の形態
なお上述の実施の形態においては、光ディスク装置に事前にインストールされた処理プログラムにより一連の処理を実行する場合について述べたが、本発明はこれに限らず、インターネット等のネットワークを介してダウンロードしたプログラムのインストールによりこの種の処理手順を実行する場合、さらには各種の記録媒体により提供されるプログラムのインストールによりこの種の処理手順を実行する場合等にも広く適用することができる。なおこのような記録媒体としては、磁気ディスク、光ディスク、磁気テープ等の記録媒体を適用することができる。
【０１４８】
また上述の実施の形態においては、連続した領域に順次動画ファイル、拡張ファイルを記録する場合について述べたが、本発明はこれに限らず、それぞれ動画ファイル用の領域、拡張ファイル用の領域を設定して動画ファイル、拡張ファイルを記録する場合にも広く適用することができる。
【０１４９】
また上述の実施の形態においては、１つの管理情報である仮ＶＭＧにより動画ファイルの管理情報、拡張管理情報を指し示す場合について述べたが、本発明はこれに限らず、動画ファイル用、拡張ファイル用に、個別に管理情報を設定するようにしてもよい。
【０１５０】
また上述の実施の形態においては、ＮＷＡにより管理情報である仮ＶＭＧを指し示す場合について述べたが、本発明はこれに限らず、要は光ディスク２の固定した領域に記録された情報により管理情報を指し示すようにして、同様の効果を得ることができる。
【０１５１】
また上述の実施の形態においては、拡張ファイルとして静止画ファイルを記録する場合について述べたが、本発明はこれに限らず、テキストファイル、音楽ファイル等、種々のファイルを拡張ファイルに適用することができる。
【０１５２】
また上述の実施の形態においては、撮像機能を有する光ディスク装置に本発明を適用する場合について述べたが、本発明はこれに限らず、コンピュータのアプリケーションプログラムによりこの種の処理を実行する場合等にも広く適用することができる。
【０１５３】
【発明の効果】
上述のように本発明によれば、拡張ファイルと拡張ファイル情報とを組にして記録するようにし、他の組の拡張ファイル情報をエリア管理情報により指し示すことができるようにすることにより、情報記録面を有効に利用して、動画以外の静止画等のファイルについても記録することができるようにする。
【図面の簡単な説明】
【図１】本発明の実施の形態に係る拡張管理情報の説明に供する図表である。
【図２】本発明の実施の形態に係る光ディスク装置を示すブロック図である。
【図３】図２の光ディスク装置におけるＩＮＣ方式による記録の説明に供する図表である。
【図４】図２の光ディスク装置におけるＲＯＷ方式による記録の説明に供する図表である。
【図５】拡張管理情報を示す図表である。
【図６】拡張ファイル情報と拡張管理情報との関連を示す図表である。
【図７】図１との対比により集中して拡張ファイルを管理する場合を示す図表である。
【図８】図２の光ディスク装置におけるマイコンの処理手順を示すフローチャートである。
【図９】図８の処理手順における記録処理手順を示すフローチャートである。
【図１０】図８の処理手順における再生処理手順を示すフローチャートである。
【図１１】ＤＶＤビデオフォーマットの説明に供する図表である。
【図１２】ＩＮＣ方式による記録の説明に供する図表である。
【図１３】ＲＯＷ方式による記録の説明に供する図表である。
【符号の説明】
１……光ディスク装置、２……光ディスク、４……マイコン、６……圧縮／伸長処理部
【図１】
2004030704.tif 000003
【図２】
2004030704.tif 000004
【図３】
2004030704.tif 000005
【図４】
2004030704.tif 000006
【図５】
2004030704.tif 000007
【図６】
2004030704.tif 000008
【図７】
2004030704.tif 000009
【図８】
2004030704.tif 000010
【図９】
2004030704.tif 000011
【図１０】
2004030704.tif 000012
【図１１】
2004030704.tif 000013
【図１２】
2004030704.tif 000014
【図１３】
2004030704.tif 000015